(57)【特許請求の範囲】
【請求項１】
ワイヤレスネットワークにおいてデータを送信するための方法であって、
送信機によって、1つまたは複数のリソースユニット(RU)内で運ばれる234個のトーンおよび前記1つまたは複数のRUから除外される22個のトーンからなる256トーンのペイロードを含む直交周波数分割多元接続(OFDMA)フレームを生成するステップであって、前記234個のトーンが、データトーンおよびパイロットトーンからなる1つまたは複数のリソースユニット(RU)内で運ばれる、ステップと、
前記生成されたOFDMAフレームを20メガヘルツ(MHz)周波数チャネル上で少なくとも1つの受信機に送信するステップとを含む、方法。
【請求項２】
前記1つまたは複数のRUの各々が、26個のトーンのまとまりのそれぞれが24個のデータトーンおよび2つのパイロットトーンからなるようにして26の倍数個のトーンからなる、請求項１に記載の方法。
【請求項３】
前記1つまたは複数のRUのうちのRUが、52個のトーンからなり、前記52個のトーンが4つのパイロットトーンおよび48個のデータトーンからなる、請求項２に記載の方法。
【請求項４】
前記1つまたは複数のRUから除外される前記22個のトーンが、共通パイロットトーンおよびヌルトーン、または予約されたトーンおよびヌルトーンを含む、請求項１から３のいずれか一項に記載の方法。
【請求項５】
前記1つまたは複数のRUから除外される前記22個のトーンが、ガードトーン、少なくとも1つの直流トーン、予約されたトーン、またはこれらの組み合わせを含む、請求項１から３のいずれか一項に記載の方法。
【請求項６】
プロセッサと、
前記プロセッサによって実行するためのプログラミングを記憶するコンピュータ可読ストレージ媒体とを含み、前記プログラミングが、
1つまたは複数のリソースユニット(RU)内で運ばれる234個のトーンおよび前記1つまたは複数のRUから除外される22個のトーンからなる256トーンのペイロードを含む直交周波数分割多元接続(OFDMA)フレームを生成することであって、前記234個のトーンが、データトーンおよびパイロットトーンからなる1つまたは複数のリソースユニット(RU)内で運ばれる、ことと、
前記生成されたOFDMAフレームを20メガヘルツ(MHz)周波数チャネル上で少なくとも1つの受信機に送信することとを行うための命令を含む、送信機。
【請求項７】
前記1つまたは複数のRUの各々が、26個のトーンのまとまりのそれぞれが24個のデータトーンおよび2つのパイロットトーンからなるようにして26の倍数個のトーンからなる、請求項６に記載の送信機。
【請求項８】
前記1つまたは複数のRUののうちのRUが、52個のトーンからなり、前記52個のトーンが4つのパイロットトーンおよび48個のデータトーンからなる、請求項７に記載の送信機。
【請求項９】
前記1つまたは複数のRUから除外される前記22個のトーンが、共通パイロットトーンおよびヌルトーン、または予約されたトーンおよびヌルトーンを含む、請求項６から８のいずれか一項に記載の送信機。
【請求項１０】
前記1つまたは複数のRUから除外される前記22個のトーンが、ガードトーン、少なくとも1つの直流トーン、予約されたトーン、またはこれらの組み合わせを含む、請求項６から８のいずれか一項に記載の送信機。
【発明の詳細な説明】
【技術分野】
【０００１】
本特許出願は、2014年6月12日に出願した、「System and Method for OFDMA Tone Allocation in Next Generation Wi-Fi Networks」と題した米国仮出願第62/011,475号、2014年7月3日に出願した、「System and Method for Orthogonal Frequency Division Multiple Access」と題した米国仮出願第62/020,902号、および2014年7月23日に出願した、「System and Method for OFDMA Resource Allocation」と題した米国仮出願第62/028,208号の優先権を主張するものであり、これらの出願の各々は、その全体が転載されているかのように参照により本明細書に組み込まれる。
【０００２】
本発明は、ワイヤレス通信のためのシステムおよび方法に関し、特定の実施形態においては、直交周波数分割多元接続(OFDMA)のリソース割り振りのためのシステムおよび方法に関する。
【背景技術】
【０００３】
次世代ワイヤレスローカルエリアネットワーク(WLAN)は、同じ地理的地域内の多数の移動局にワイヤレスアクセスを提供する複数のアクセスポイントを含む高密度環境内に展開される。また、次世代WLANは、モバイルデバイスがストリーミングビデオ、モバイルゲーム、およびその他のサービスにアクセスするためにますます使用されるので、多様なサービス品質(QoS)の要件を有する様々なトラフィックの種類を同時にサポートする必要がある。米国電気電子学会(IEEE) 802.11axが、これらの課題に対応するために開発されており、最大でIEEE 802.11acネットワークの4倍のスループットを提供すると期待されている。
【発明の概要】
【課題を解決するための手段】
【０００４】
技術的な利点は、概して、OFDMAのリソース割り振りのためのシステムおよび方法を説明する本開示の実施形態によって実現される。
【０００５】
実施形態によれば、ワイヤレスネットワークにおいてデータを送信するための方法が提供される。この例において、方法は、1つまたは複数のリソースユニット(RU)内で運ばれる234個のトーン、および1つまたは複数のRUから除外される22個のトーンからなる256トーンのペイロードを含む直交周波数分割多元接続(OFDMA)フレームを生成するステップを含む。1つまたは複数のRUから除外される22個のトーンは、共通パイロットトーン、ヌルトーン、予約されたトーン、またはこれらの組合せを含む。方法は、生成されたOFDMAフレームを20メガヘルツ(MHz)周波数チャネル上で少なくとも1つの受信機に送信するステップをさらに含む。この方法を実行するための装置も、提供される。
【０００６】
別の実施形態によれば、ワイヤレスネットワークにおいてスケジューリング情報を伝達するための方法が提供される。この例において、方法は、信号(SIG)フィールドおよびリソースユニット(RU)のシーケンスを運ぶ直交周波数分割多元接続(OFDMA)フレームを送信するステップを含む。OFDMAフレーム内のRUのサブセットが、1つまたは複数の局(STA)に割り振られる。SIGフィールドに埋め込まれるインデックス情報は、1つまたは複数のSTAに割り当てられた識別子(ID)をOFDMAフレームによって運ばれるRUのシーケンス内のRUのサブセットの開始位置または終了位置に関連付ける。この方法を実行するための装置も、提供される。
【０００７】
別の実施形態によれば、ワイヤレスネットワークにおいてデータを伝達するための方法が提供される。この例において、方法は、直交周波数分割多元接続(OFDMA)フレームを少なくとも1つの受信機に送信するステップを含む。OFDMAフレームは、26の倍数個のトーンまたは28の倍数個のトーンからなるリソースユニット(RU)を含む。この方法を実行するための装置も、提供される。
【０００８】
本発明およびその利点のより完全な理解のために、ここで、添付の図面と併せて考慮される以下の説明に対する参照がなされる。
【図面の簡単な説明】
【０００９】
【図１】実施形態のワイヤレスネットワークの図である。
【図２】256トーンのペイロードのための実施形態のトーン割り振り方式の図である。
【図３】OFDMAのリソースユニット(RU)のための実施形態のトーン割り振り方式の図である。
【図４】ダウンリンクOFDMAフレームの256トーンのペイロードのための実施形態のトーン割り振り方式の図である。
【図５】アップリンクOFDMAフレームの256トーンのペイロードのための実施形態のトーン割り振り方式の図である。
【図６】異なるRUサイズに関するスペクトル効率のシミュレーション結果を示す図である。
【図７】実施形態のRUインデックス付け方式のブロック図である。
【図８】実施形態のRU割り振り方式の図である。
【図９】実施形態のスケジューリング情報フレームの図である。
【図１０】RUを送信するための実施形態の方法の流れ図である。
【図１１】実施形態の処理システムのブロック図である。
【図１２】実施形態のトランシーバのブロック図である。
【発明を実施するための形態】
【００１０】
異なる図中の対応する番号および符号は、概して、別途示されない限り、対応する部分を指す。図は、実施形態の関連する態様を明瞭に示すように描かれており、必ずしも正しい縮尺で描かれていない。
【００１１】
現在の好ましい実施形態の構造、製造、および使用が、以下で詳細に検討される。しかし、本発明は、多種多様な具体的な文脈で実施され得る多くの応用可能な発明の概念を提供することを理解されたい。検討される特定の実施形態は、本発明を作製および使用する特定の方法を例示するに過ぎず、本発明の範囲を限定しない。
【００１２】
本開示の態様は、IEEE 802.11axネットワークなどのワイヤレス環境内で使用するための実施形態のフレームフォーマットを提供する。より具体的には、実施形態のフレームフォーマットは、OFDMAフレームが1つまたは複数のリソースユニット(RU)内で運ばれる234個のトーンおよび1つまたは複数のRUから除外される22個のトーンからなる256トーンのペイロードを運ぶことを規定する。RUから除外される22個のトーンは、共通パイロットトーン、ヌルトーン、予約されたトーン、またはこれらの組合せを含む可能性がある。一例において、RUから除外される22個のトーンは、8つの共通パイロットトーンおよび14個のヌルトーンからなる。別の例において、RUから除外される22個のトーンは、8つの予約されたトーンおよび14個のヌルトーンからなる。ガードトーンが、干渉を軽減するためにRUの間に置かれ、一方、DCトーンは、OFDM周波数帯域の中心の位置を特定するためにモバイルデバイスによって使用される空のサブキャリア(たとえば、データ/情報を運ばないサブキャリア)である。一実施形態において、OFDMAフレームのRUから除外される22個のトーンは、8つの共通パイロットおよび14個のヌルトーンからなる。別の実施形態において、OFDMAフレームのRUから除外される22個のトーンは、8つの予約されたトーンおよび14個のヌルトーンからなる。予約されたトーンは、RUから除外されるが、ヌルトーンまたはパイロットトーンとして公式に指定されていないトーンである。予約されたトーンは、任意の目的で使用され得る。特に、OFDMAフレーム内のRUは、概して、ペイロードデータを転送するトーンであるデータトーンを運び得る。一実施形態において、OFDMAフレーム内の各RUは、26の倍数個のデータトーン(たとえば、26個のデータトーン、52個のデータトーン、78個のデータトーンなど)からなる。加えて、OFDMAフレーム内のRUは、別々のパイロットトーンを運ぶ可能性もある。一実施形態において、OFDMAの各RUは、26個のトーンのまとまりのそれぞれが2つのパイロットトーンおよび24個のデータトーンからなるようにして26の倍数個のトーンを運ぶ。RU内で運ばれる別々のパイロットトーンは、RU内で運ばれるデータトーンの位相および/または周波数パラメータを調整または推定するために使用され得る。たとえば、異なるモバイルデバイスによって送信されたRUを運ぶアップリンクOFDMAフレームにおいて、それぞれのRU内で運ばれるパイロットトーンは、アップリンクOFDMAフレームに対して残留キャリア周波数オフセット推定(residual carrier frequency offset estimation)を実行するためにサービングアクセスポイントによって使用され得る。残留周波数オフセット補償(residual frequency offset compensation)は、OFDMA送信において運ばれる個別パイロット(dedicated pilot)に基づいてキャリア周波数オフセットを推定することを含む可能性がある。アップリンク(UL) OFDMA送信に関して、残留キャリア周波数オフセット補償は、アクセスポイントがリソースユニット(RU)内で運ばれるパイロットに基づいて各シンボルの位相を追跡することを可能にし得る。
【００１３】
本開示の実施形態は、OFDMAフレーム内で運ばれるRUが26または28の倍数個のトーンからなる、シンボルに基づくRUトーン割り振り方式をさらに提供する。一実施形態において、RUは、26個のトーンのまとまりのそれぞれが24個のデータトーンおよび2つのパイロットトーンからなるようにして26の倍数個のトーンからなる。別の実施形態において、RUは、28個のトーンのまとまりのそれぞれが26個のデータトーンおよび2つのパイロットトーンからなるようにして28の倍数個のトーンからなる。
【００１４】
本開示の態様は、OFDMAフレームを受信するモバイルデバイスにRUの割り振りを伝達するための実施形態の技術も提供する。より具体的には、インデックス情報が、OFDMAフレームの信号(SIG)フィールドに埋め込まれる。インデックス情報は、個々の局または局のグループに割り当てられたIDを、OFDMAフレームによって運ばれるRUのシーケンス内の割り当てられたRUのサブセットに関する開始または終了位置に関連付ける。たとえば、インデックス付け情報は、局に割り振られたRUのサブセット内の先頭のRU(leading RU)および/または最後尾のRU(trailing RU)を示す可能性があり、局がフレームを受信すると割り振られたRUのサブセットの位置を特定することを可能にする可能性がある。これらのおよびその他の詳細が、以下でより詳細に説明される。
【００１５】
図1は、データを伝達するためのワイヤレスネットワーク100を示す。ワイヤレスネットワーク100は、カバーエリア101を有するアクセスポイント(AP) 110、複数のモバイルデバイス120、およびバックホールネットワーク130を含む。AP 110は、とりわけ、モバイルデバイス120とのアップリンク(破線)および/またはダウンリンク(点線)接続を確立することによってワイヤレスアクセスを提供することができる任意の構成要素を含み得る。たとえば、AP 110は、基地局、拡張型基地局(enhanced base station)(eNB)、フェムトセル、Wi-Fi AP、およびモバイルデバイス120にワイヤレスアクセスを提供することができるその他のデバイスである可能性がある。モバイルデバイス120は、移動局(STA)、ユーザ機器(UE)、またはその他の無線で動作可能にされるデバイスなどの、AP 110とのワイヤレス接続を確立することができる任意の構成要素を含み得る。バックホールネットワーク130は、データがAP 110と遠隔端末(remote end)との間でやりとりされることを可能にする任意の構成要素または構成要素の集合である可能性がある。一部の実施形態においては、複数のそのようなネットワークが存在する可能性があり、および/またはネットワークが中継器、低電力ノードなどの様々なその他のワイヤレスデバイスを含む可能性がある。
【００１６】
図2は、20MHz周波数チャネル上で伝達されるOFDMAフレーム内の256トーンのペイロード200のための実施形態のトーン割り振り方式の図である。示されるように、256トーンのペイロード200は、RU 210内で運ばれる234個のトーンと、RU 210から除外される22個のトーン220とを含む。RU 210から除外される22個のトーン220は、ヌルトーン、パイロットトーン、予約されたトーン、またはこれらの組合せを含む可能性がある。256トーンのペイロード200内で運ばれるRU 210の各々は、26の倍数個のトーンからなる。図2によって与えられる例においては、RUの各々が26個のトーン(すなわち、26個のトーンの1倍)からなるように、234個のトーンが9つのRU 210に分配される。しかし、234個のトーンはより少ないRUに分配される可能性があることを理解されたい。たとえば、234個のトーンは、3つの78トーンのRUに分配される可能性がある。234個のトーンは、256トーンのペイロード200内の少なくとも2つのRUが異なるサイズであるようにRU 210に不均等に分配される可能性があることも理解されたい。一例において、234個のトーンは、4つの52トーンのRUおよび1つの26トーンのRUに分配される。別の例において、234個のトーンは、2つの104トーンのRUおよび1つの26トーンのRUに分配される。さらに別の例においては、234個のトーンのすべてが、単一のRUに分配される。その他の構成も、あり得る。RU 210から除外される22個のトーン220は256トーンのペイロード200内の任意の位置または位置の組に配列され得ることも理解されたい。たとえば、22個のトーン220の各々は、256トーンのペイロード200の連続的な部分に、たとえば、256トーンのペイロードの真ん中、一番上、または一番下の部分に置かれる可能性がある。別の例として、22個のトーン220は、256トーンのペイロード200中に、たとえば、RU 220の間などに均等にまたは不均等に分配される可能性がある。
【００１７】
図3は、OFDMAのリソースユニット(RU) 300のための実施形態のトーン割り振り方式の図を示す。示されるように、RU 300は、周波数領域において26の倍数個のトーン(N*26トーン)(ここで、N≧1である)からなる。RU 300は、時間領域において任意の数のシンボル(M個のシンボル)(ここで、M≧1である)に広がる可能性がある。一例において、RU 300は、時間領域において8つのシンボルに広がる。一部の実施形態においては、RU 300内の26個のトーンのまとまりのそれぞれが、完全にデータトーンからなる。その他の実施形態において、RU 300内の26個のトーンのまとまりのそれぞれは、パイロットトーンとデータトーンとの両方、たとえば、1つのパイロットおよび25個のデータトーン、2つのパイロットおよび24個のデータトーンなどからなる。そのような実施形態において、パイロットトーンは、位相の追跡のために使用され得る。
【００１８】
図4は、20MHz周波数チャネル上で伝達されるOFDMAフレーム内の256トーンのペイロード400のための実施形態のトーン割り振り方式の図を示す。示されるように、256トーンのペイロード400は、RU 410内で運ばれる234個のトーン、8つの共通パイロットトーン422、および14個のヌルトーン426を含む。共通パイロットトーン422およびヌルトーン426は、RU 410から除外される。一例において、14個のヌルトーン426は、13個のガードトーンおよび1つのDCトーンからなる。その他の例において、14個のヌルトーン426は、複数のDCトーンおよび12個以下のガードトーンを含む。RU 410の各々は、26の倍数個のデータトーンからなる。一実施形態において、256トーンのペイロード400は、ダウンリンクOFDMAフレーム内で運ばれる。
【００１９】
図5は、20MHz周波数チャネル上で伝達されるアップリンクOFDMAフレーム内の256トーンのペイロード500のための別の実施形態のトーン割り振り方式の図を示す。示されるように、256トーンのペイロード500は、RU 510内で運ばれる234個のトーン、8つの予約されたトーン522、および14個のヌルトーン526を含む。予約されたトーン522およびヌルトーン526は、RU 510から除外される。一例において、14個のヌルトーン526は、13個のガードトーンおよび1つのDCトーンからなる。その他の例において、14個のヌルトーン526は、複数のDCトーンおよび13個未満のガードトーン、たとえば、2つのDCトーン+12個のガードトーン、3つのDCトーン+11個のガードトーンなどからなる。RU 510の各々は、26個のトーンのまとまりのそれぞれがパイロットトーンおよびデータトーンからなるようにして26の倍数個のトーンからなる。図5によって示される例示的な構成において、RU 510のうちの所与の1つの中の26個のトーンのまとまりのそれぞれは、2つのパイロットトーンおよび24個のデータトーン(2つのパイロット+24個のデータトーン)からなる。その他の構成、たとえば、1つのパイロット+25個のデータトーン、3つのパイロット+23個のデータトーンなどもあり得ることを理解されたい。図5によって示される例示的な構成においては、8つの予約されたトーン522が、256トーンのペイロード500に均等に分配される。そのような例において、予約されたトーン500は、アップリンクOFDMAフレーム内のRUの間のガードバンドとして働き得る。8つの予約されたトーン522が256トーンのペイロード500内に異なるように(たとえば、不均等に)分配される可能性があり、予約されたトーン522のうちの2つ以上が256トーンのペイロード500の連続的な部分に置かれる可能性があることを理解されたい。予約されたトーン522はその他の目的で使用され得ることも理解されたい。一実施形態において、256トーンのペイロード500は、アップリンクOFDMAフレーム内で運ばれる。
【００２０】
図6は、異なるサイズのリソースユニット(RU)に関するスペクトル効率のシミュレーション結果を示す。シミュレーションは、異なるIEEE 802.11見通し外(NLOS: non-line-of-sight)チャネルモデル上で伝達されるOFDMAフレーム内で運ばれるリソースユニットのサイズによってスペクトル効率がどのように影響を受けたかを評価するために実行された。この例において、シミュレーションは、変化するrms遅延拡散を有するIEEE 802.11 B、C、D、E、およびF NLOSチャネル条件で実行された。示されるように、スペクトル効率は、RUが10^3 KHzから10^4 KHzまで増やされるにつれて、すべてのチャネル条件に関して大きく減ぜられ始める。
【００２１】
図7は、実施形態のRUインデックス付け方式700のブロック図を示す。示されるように、RUインデックス付け方式700は、時間領域(たとえば、OFDMAシンボル)および周波数領域(たとえば、サブキャリア)におけるサブキャリア715、720、725、730のグループを含む。より具体的には、サブキャリア715、720、725、730のグループの各々は、時間領域におけるRUの組に関連するシーケンス番号を含むインデックス情報を有するRUの組を含む。OFDMAフレームに埋め込まれるRUの数は、OFDMAシンボルの数(k)およびサブキャリアの数(n)に応じて決まる。一実施形態においては、インデックス番号が、サブキャリアの異なるグループに置かれるRUに順に割り振られる。たとえば、サブキャリア715のグループ内の最初のRU(たとえば、RU1)からサブキャリア730のグループ内の最後のRU(たとえば、RU4j)まで、インデックス番号が順に割り振られる。別の実施形態においては、インデックス番号が、サブキャリアの同じグループに置かれるRUに順に割り振られる。たとえば、サブキャリア715の同じグループ内のRU1からRUjまでに、インデックス番号が順に割り振られる。
【００２２】
図8は、実施形態のRU割り振り方式800の図を示す。示されるように、RU割り振り方式800は、サブキャリアグループ(SCG) 805、810、815、820の一部を複数のユーザに割り振る。SCG 805内のRUの異なる組が、第1のユーザ(ユーザ1)および第2のユーザ(ユーザ2)に割り振られる。SCG 810内のすべてのRUは、第3のユーザ(ユーザ3)に割り振られる。SCG 815内のRUの異なる組が、第4のユーザ(ユーザ4)および第5のユーザ(ユーザ5)に割り振られるが、SCG 815内の一部のRUは、いかなるユーザにも割り振られないパディングビット(たとえば、ヌルRU)を運ぶ。SCG 820内のすべてのRUは、第6のユーザ(ユーザ6)に割り振られる。特に、異なるSCG内に置かれるRUの組は、同じユーザに割り振られない。一部の実施形態においては、個々のユーザが、サブキャリアグループ内の任意の数のRUを割り振られる可能性がある。たとえば、図8によって示される例においては、SCH 820内のすべてのRUが、単一のユーザ(すなわち、ユーザ6)に割り振られる。その他の実施形態において、割り振り方式は、個々のユーザに割り振られ得るRUの数を制限する可能性がある。一実施形態において、割り振り方式は、個々のユーザに2つ以下のRUが割り振られることを要求する。
【００２３】
図9は、OFDMフレームの信号(SIG)フィールドに埋め込むためのインデックス情報900の図を示す。示されるように、スケジューリング情報900は、識別子(ID)フィールド905、RU開始インデックス910、およびRU終了インデックス915を含む。IDフィールド905は、個々の局に割り当てられたID (たとえば、PAID)または局のグループに割り当てられたID (たとえば、グループID (GrpID))を指定し得る。RU開始インデックス910は、IDフィールド905によって特定された局または局のグループに割り振られたRUの組内の開始位置(たとえば、先頭のRU)を指定し得る。RU終了インデックス915は、2つ以上のRUを含む可能性がある、局または局のグループに割り振られたRUの組内の終了位置(たとえば、最後尾のRU)を指定し得る。RUの組内の先頭のRUは、RUの組内のすべてのその他のRUに先立つ(たとえば、それらのRUの前に置かれる)可能性がある。同様に、RUの組内の最後尾のRUは、RUの組内のすべてのその他のRUの後に続く(たとえば、それらのRUの後に置かれる)可能性がある。
【００２４】
図10は、RUを送信するための実施形態の方法1000の流れ図を示す。示されるように、方法1000は、1つまたは複数のリソースユニット(RU)内で運ばれる234個のトーンおよび1つまたは複数のRUから除外される22個のトーンからなる256トーンのペイロードを含むOFDMAフレームを送信機が生成するステップ1010において始まる。1つまたは複数のRUから除外される22個のトーンは、8つの共通パイロットトーンおよび14個のヌルトーンからなるか、または8つの予約されたトーンおよび14個のヌルトーンからなる可能性がある。14個のヌルトーンは、ガードトーンおよび少なくとも1つの直流(DC: direct current)トーンからなる可能性がある。一実施形態において、OFDMAフレームは、ダウンリンクOFDMAフレームであり、256トーンのペイロードは、8つのパイロットトーン、14個のヌルトーン、および1つまたは複数のRUを含み、1つまたは複数のRUの各々は、26の整数倍個のサブキャリアを含む。そのような実施形態において、26の整数倍個のサブキャリアは、1つまたは複数のSTAにデータを運ぶ26の整数倍個のデータトーンを含むか、または1つまたは複数のSTAにデータを運ぶ24個のデータトーンおよび2つのパイロットトーンのまとまりを整数倍個含むかである。別の実施形態において、OFDMAフレームは、アップリンクOFDMAフレームであり、256トーンのペイロードは、8つの予約されたトーン、14個のヌルトーン、および1つまたは複数のRUを含み、1つまたは複数のRUの各々は、26の整数倍個のサブキャリアを含む。そのような実施形態において、26の整数倍個のサブキャリアは、1つまたは複数のSTAにデータを運ぶ24個のデータトーンおよび2つのパイロットトーンのまとまりを整数倍個含む。その後、方法1000は、ステップ1020に進み、ステップ1020においては、送信機が、1つまたは複数のRUを含むOFDMAフレームを少なくとも1つの受信機に送信する。
【００２５】
一実施形態において、リソースユニット(RU)は、26個のトーンのまとまりのそれぞれが2つのパイロットトーンおよび24個のデータトーンからなるようにして26の倍数個のトーンからなる。たとえば、RUは、2つのパイロットトーンおよび24個のデータトーン、4つのパイロットトーンおよび48個のデータトーン、6つのパイロットトーンおよび96個のデータトーン、8つのパイロットトーンおよび192個のデータトーン、または16個のパイロットトーンおよび384個のデータトーンからなる可能性がある。別の実施形態において、RUは、28個のトーンのまとまりのそれぞれが2つのパイロットトーンおよび26個のデータトーンからなるようにして28の倍数個のトーンからなる。たとえば、RUは、2つのパイロットトーンおよび26個のデータトーン、4つのパイロットトーンおよび52個のデータトーン、4つのパイロットトーンおよび104個のデータトーン、8つのパイロットトーンおよび208個のデータトーン、または16個のパイロットトーンおよび416個のデータトーンからなる可能性がある。その他の組合せも、あり得る。
【００２６】
図11は、ホストデバイスにインストールされ得る、本明細書において説明される方法を実行するための実施形態の処理システム1100のブロック図を示す。示されるように、処理システム1100は、図11に示されるように配列される可能性がある(またはそのように配列されない可能性がある)プロセッサ1104、メモリ1106、およびインターフェース1110〜1114を含む。プロセッサ1104は、計算および/またはその他の処理に関連するタスクを実行するように適合された任意の構成要素または構成要素の集合である可能性があり、メモリ1106は、プロセッサ1104によって実行するためのプログラミングおよび/または命令を記憶するように適合された任意の構成要素または構成要素の集合である可能性がある。実施形態において、メモリ1106は、非一時的コンピュータ可読媒体を含む。インターフェース1110、1112、1114は、処理システム1100がその他のデバイス/構成要素および/またはユーザとコミュニケーションすることを可能にする任意の構成要素または構成要素の集合である可能性がある。たとえば、インターフェース1110、1112、1114のうちの1つまたは複数は、プロセッサ1104からホストデバイスおよび/またはリモートデバイスにインストールされたアプリケーションにデータ、制御、または管理メッセージを伝達するように適合され得る。別の例として、インターフェース1110、1112、1114のうちの1つまたは複数は、ユーザまたはユーザデバイス(たとえば、パーソナルコンピュータ(PC)など)が処理システム1100とインタラクション/コミュニケーションすることを可能にするように適合され得る。処理システム1100は、長期的なストレージ(たとえば、不揮発性メモリなど)などの図11に示されていないさらなる構成要素を含む可能性がある。
【００２７】
一部の実施形態において、処理システム1100は、電気通信ネットワークにアクセスしているかまたはそうでなければ電気通信ネットワークの一部であるネットワークデバイスに含まれる。一例において、処理システム1100は、基地局、中継局、スケジューラ、コントローラ、ゲートウェイ、ルータ、アプリケーションサーバ、または電気通信ネットワーク内の任意のその他のデバイスなどの、ワイヤレスまたは有線電気通信ネットワーク内のネットワーク側デバイス内にある。その他の実施形態において、処理システム1100は、移動局、ユーザ機器(UE)、パーソナルコンピュータ(PC)、タブレット、ウェアラブル通信デバイス(たとえば、スマートウォッチなど)、または電気通信ネットワークにアクセスするように適合された任意のその他のデバイスなどの、ワイヤレスまたは有線電気通信ネットワークにアクセスするユーザ側デバイス内にある。
【００２８】
一部の実施形態において、インターフェース1110、1112、1114のうちの1つまたは複数は、処理システム1100を、電気通信ネットワークを介してシグナリングを送信および受信するように適合されたトランシーバに接続する。図12は、電気通信ネットワークを介してシグナリングを送信および受信するように適合されたトランシーバ1200のブロック図を示す。トランシーバ1200は、ホストデバイスにインストールされ得る。示されるように、トランシーバ1200は、ネットワーク側インターフェース1202、カプラ1204、送信機1206、受信機1208、信号プロセッサ1210、およびデバイス側インターフェース1212を含む。ネットワーク側インターフェース1202は、ワイヤレスまたは有線電気通信ネットワークを介してシグナリングを送信または受信するように適合された任意の構成要素または構成要素の集合を含み得る。カプラ1204は、ネットワーク側インターフェース1202を介した双方向通信を容易にするように適合された任意の構成要素または構成要素の集合を含み得る。送信機1206は、ベースバンド信号をネットワーク側インターフェース1202を介した送信に好適な変調されたキャリア信号に変換するように適合された任意の構成要素または構成要素の集合(たとえば、アップコンバータ、電力増幅器など)を含み得る。受信機1208は、ネットワーク側インターフェース1202を介して受信されたキャリア信号をベースバンド信号に変換するように適合された任意の構成要素または構成要素の集合(たとえば、ダウンコンバータ、低雑音増幅器など)を含み得る。信号プロセッサ1210は、ベースバンド信号をデバイス側インターフェース1212を介した通信に好適なデータ信号に変換するか、またはその逆の変換を行うように適合された任意の構成要素または構成要素の集合を含み得る。デバイス側インターフェース1212は、信号プロセッサ1210とホストデバイス内の構成要素(たとえば、処理システム600、ローカルエリアネットワーク(LAN)ポートなど)との間でデータ信号を伝達するように適合された任意の構成要素または構成要素の集合を含み得る。
【００２９】
トランシーバ1200は、任意の種類の通信媒体を介してシグナリングを送信および受信し得る。一部の実施形態において、トランシーバ1200は、ワイヤレス媒体を介してシグナリングを送信および受信する。たとえば、トランシーバ1200は、セルラープロトコル(たとえば、ロングタームエボリューション(LTE)など)、ワイヤレスローカルエリアネットワーク(WLAN)プロトコル(たとえば、Wi-Fiなど)、または任意のその他の種類のワイヤレスプロトコル(たとえば、Bluetooth(登録商標)、近距離無線通信(NFC: near field communication)など)などのワイヤレス電気通信プロトコルに従って通信するように適合されたワイヤレストランシーバである可能性がある。そのような実施形態において、ネットワーク側インターフェース1202は、1つまたは複数のアンテナ/放射要素を含む。たとえば、ネットワーク側インターフェース1202は、単一のアンテナ、複数の別々のアンテナ、またはマルチレイヤ通信、たとえば、単入力多出力(SIMO)、多入力単出力(MISO)、多入力多出力(MIMO)などのために構成されたマルチアンテナアレーを含み得る。その他の実施形態において、トランシーバ1200は、有線媒体、たとえば、ツイストペアケーブル、同軸ケーブル、光ファイバなどを介してシグナリングを送信および受信する。特定の処理システムおよび/またはトランシーバは、示される構成要素のすべてまたは構成要素のサブセットのみを利用する可能性があり、統合のレベルは、デバイス毎に変わる可能性がある。
【００３０】
以下の参考文献が、本出願の対象に関連する。これらの参考文献、すなわち、[1] 2014年4月2日に出願した、「UL OFDMA Frame Format and Input/Output Configuration for IFFT module for OFDM(A) Numerologies」と題した米国仮出願第61/974,282号、[2] 2014年5月21日に出願した、「System and Method for Utilizing Unused Tones in Tone-Interleaved Long Training Field」と題した米国仮出願第62/001,394号の各々は、その全体が参照により本明細書に組み込まれる。
【符号の説明】
【００３１】
100  ワイヤレスネットワーク
101  カバーエリア
110  アクセスポイント(AP)
120  モバイルデバイス
130  バックホールネットワーク
200  ペイロード
210  RU
220  トーン
300  OFDMAのリソースユニット(RU)
400  ペイロード
410  RU
422  共通パイロットトーン
426  ヌルトーン
500  ペイロード
510  RU
522  予約されたトーン
526  ヌルトーン
600  処理システム
700  実施形態のRUインデックス付け方式
715  サブキャリア
720  サブキャリア
725  サブキャリア
730  サブキャリア
800  実施形態のRU割り振り方式
805  サブキャリアグループ(SCG)
810  サブキャリアグループ(SCG)
815  サブキャリアグループ(SCG)
820  サブキャリアグループ(SCG)
900  インデックス情報
905  識別子(ID)フィールド
910  RU開始インデックス
915  RU終了インデックス
1000  実施形態の方法
1100  実施形態の処理システム
1104  プロセッサ
1106  メモリ
1110  インターフェース
1112  インターフェース
1114  インターフェース
1200  トランシーバ
1202  ネットワーク側インターフェース
1204  カプラ
1206  送信機
1208  受信機
1210  信号プロセッサ
1212  デバイス側インターフェース
【図１】
0006469733.tif 000002
【図２】
0006469733.tif 000003
【図３】
0006469733.tif 000004
【図４】
0006469733.tif 000005
【図５】
0006469733.tif 000006
【図６】
0006469733.tif 000007
【図７】
0006469733.tif 000008
【図８】
0006469733.tif 000009
【図９】
0006469733.tif 000010
【図１０】
0006469733.tif 000011
【図１１】
0006469733.tif 000012
【図１２】
0006469733.tif 000013